(57)【要約】【課題】  画像形成装置の前を通行人が通行しただけで表示部が点灯するのを防止し、且つ、使用者が画像形成装置の前に到着したときに即座にジョブが実行できるように画像形成装置を起動する。【解決手段】  画像形成装置は、前記画像形成装置に接近する人を検知する検知手段と、前記画像形成装置が備える機能部への電力供給が停止される省電力状態で、前記検知手段によって前記画像形成装置に接近する人が検知された場合、表示手段を非表示状態にしたまま前記機能部を起動させる電源制御手段と、前記電源制御手段によって前記機能部の起動が開始された後、前記画像形成装置に接近する人によって前記表示手段を表示させる指示がなされた場合に、前記表示手段を表示状態にする表示制御手段と、を備える。【選択図】  図１０
2015195548.tif 000002
【特許請求の範囲】
【請求項１】
表示手段を備える画像形成装置であって、
前記画像形成装置に接近する人を検知する検知手段と、
前記画像形成装置が備える機能部への電力供給が停止される省電力状態で、前記検知手段によって前記画像形成装置に接近する人が検知された場合、前記表示手段を非表示状態にしたまま前記機能部を起動させる電源制御手段と、
前記電源制御手段によって前記機能部の起動が開始された後、前記画像形成装置に接近する人によって前記表示手段を表示させる指示がなされた場合に、前記表示手段を表示状態にする表示制御手段と、を備えることを特徴とする画像形成装置。
【請求項２】
前記検知手段は、超音波センサである、ことを特徴とする請求項１に記載の画像形成装置。
【請求項３】
前記表示手段を表示させる指示を入力するための指示手段をさらに備える、ことを特徴とする請求項１又は２に記載の画像形成装置。
【請求項４】
前記指示手段は、前記画像形成装置を前記省電力状態から前記機能部が動作することが可能なスタンバイ状態に移行させるためにユーザが操作する節電ボタンである、ことを特徴とする請求項３に記載の画像形成装置。
【請求項５】
前記電源制御手段によって起動された前記機能部は、前記機能部の駆動部の駆動を行わずに、前記機能部の制御部の起動を行う、ことを特徴とする請求項１乃至４の何れか１項に記載の画像形成装置。
【請求項６】
前記画像形成装置が有する複数の機能部の中から使用するべき機能部が選択された場合に、前記駆動部の駆動を開始する、ことを特徴とする請求項５に記載の画像形成装置。
【請求項７】
前記表示制御手段は、前記表示部に、前記画像形成装置が有する複数の機能部の中から使用するべき機能部を選択するための選択画面を表示し、
前記選択画面を介して、前記画像形成装置が有する複数の機能部の中から使用するべき機能部が選択された場合に、前記駆動部の駆動を開始する、ことを特徴とする請求項６に記載の画像形成装置。
【請求項８】
前記機能部は、用紙に画像の印刷を行うプリンタ部、および原稿の読み取りを行うスキャナ部の少なくとも一方を有する、ことを特徴とする請求項１乃至７の何れか１項に記載の画像形成装置。
【請求項９】
前記表示手段が非表示状態のときに、前記表示手段に対してユーザの操作がなされた場合、当該ユーザの操作によって入力される情報を破棄する、ことを特徴とする請求項１乃至８の何れか１項に記載の画像形成装置。
【請求項１０】
表示手段を備える画像形成装置の制御方法であって、
前記画像形成装置に接近する人を検知する検知工程と、
前記画像形成装置が備える機能部への電力供給が停止される省電力状態で、前記検知工程で前記画像形成装置に接近する人が検知された場合、前記表示手段を非表示状態にしたまま前記機能部を起動させる電源制御工程と、
前記電源制御工程で前記機能部の起動が開始された後、前記画像形成装置に接近する人によって前記表示手段を表示させる指示がなされた場合に、前記表示手段を表示状態にする表示制御工程と、を有することを特徴とする画像形成装置の制御方法。
【請求項１１】
表示手段を備える画像形成装置のコンピュータを、
前記画像形成装置に接近する人を検知する検知手段と、
前記画像形成装置が備える機能部への電力供給が停止される省電力状態で、前記検知手段によって前記画像形成装置に接近する人が検知された場合、前記表示手段を非表示状態にしたまま前記機能部を起動させる電源制御手段と、
前記電源制御手段によって前記機能部の起動が開始された後、前記画像形成装置に接近する人によって前記表示手段を表示させる指示がなされた場合に、前記表示手段を表示状態にする表示制御手段と、して機能させることを特徴とするプログラム。
【請求項１２】
請求項１１のプログラムを記録した記録媒体。
【発明の詳細な説明】
【技術分野】
【０００１】
本発明は、画像形成装置に接近する人を検知するセンサを備えた画像形成装置、画像形成装置の制御方法、プログラムおよび記憶媒体に関する。
【背景技術】
【０００２】
画像形成装置に設けられるセンサが画像形成装置に接近する人を検知したときに、画像形成装置が省電力状態から復帰する技術が知られている（特許文献１参照）。
【先行技術文献】
【特許文献】
【０００３】
【特許文献１】特開２０１２−２０３１３２号公報
【発明の概要】
【発明が解決しようとする課題】
【０００４】
上記した特許文献１では、焦電型のセンサが人を検知した場合に、ＵＩタッチパネルが点灯する。その後、点灯したＵＩタッチパネル上でジョブの実行指示を行うと、画像形成装置はウォームアップして、スタンバイ状態に移行する。
【０００５】
しかしながら、特許文献１では、センサが人を検知した場合に、ＵＩタッチパネルが点灯するので、画像形成装置の使用者でない通行人が、前記画像形成装置の前を通過しただけで、ＵＩタッチパネルが点灯してしまう場合がある。
【０００６】
また、特許文献１では、ジョブの実行指示を行うまでは、画像形成装置がウォームアップしない。つまり、引用文献１では、使用者は、ジョブの実行指示を行った後、画像形成装置の前で、画像形成装置のウォームアップの完了を待たなければならない。
【０００７】
そこで、本発明は、画像形成装置の前を通行人が通行しただけで表示部が点灯するのを抑制し、且つ、使用者が画像形成装置の前でジョブを実行するまで待つ時間を短縮することができるように画像形成装置を起動しておくことを目的とする。
【課題を解決するための手段】
【０００８】
本発明の画像形成装置は、
表示手段を備える画像形成装置であって、
前記画像形成装置に接近する人を検知する検知手段と、
前記画像形成装置が備える機能部への電力供給が停止される省電力状態で、前記検知手段によって前記画像形成装置に接近する人が検知された場合、前記表示手段を非表示状態にしたまま前記機能部を起動させる電源制御手段と、
前記電源制御手段によって前記機能部の起動が開始された後、前記画像形成装置に接近する人によって前記表示手段を表示させる指示がなされた場合に、前記表示手段を表示状態にする表示制御手段と、を備える。
【発明の効果】
【０００９】
本発明の画像形成装置によれば、画像形成装置の前を通行人が通行しただけで表示部が点灯するのを抑制し、且つ、使用者が画像形成装置の前でジョブを実行するまで待つ時間を短縮することができるように画像形成装置を起動しておくことができる。
【図面の簡単な説明】
【００１０】
【図１】第１実施形態の画像形成装置の外観図である。
【図２】画像形成装置のハードブロック図である。
【図３】画像形成装置の電源ブロック図である。
【図４】画像形成装置の状態遷移図である。
【図５】スタンバイ状態の画像形成装置を示す図である。
【図６】省電力状態の画像形成装置を示す図である。
【図７】静音復帰状態の画像形成装置を示す図である。
【図８】表示部復帰状態の画像形成装置を示す図である。
【図９】操作部の詳細を示す図である。
【図１０】画像形成装置と使用者との距離に応じた電力制御の遷移を示す図である。
【図１１】画像形成装置の電力制御フローを示したフローチャートである。
【図１２】画像形成装置の操作部に手をかざす様子を示した図である。
【図１３】第２実施形態の画像形成装置の操作部のハードブロック図である。
【図１４】操作部のマイコンが実行するフローチャートである。
【発明を実施するための形態】
【００１１】
以下、本発明を実施するための形態について図面を用いて説明する。
【００１２】
＜第１実施形態＞
図１は、本発明の第１実施形態の画像形成装置１００の外観図である。
【００１３】
画像形成装置１００は、プリント機能、スキャナ機能、コピー機能、ＦＡＸ機能などの複数の機能を備えるＭＦＰ（Ｍｕｌｔｉｆｕｎｃｔｉｏｎ  Ｐｅｒｉｐｈｅｒａｌ）である。
【００１４】
画像形成装置１００は、画像形成装置１００に接近する人を検知するための超音波センサ１５を備えている。超音波センサ１５が画像形成装置１００に接近する人を検知した場合、画像形成装置１００は、上記した機能の何れかが使用可能なスタンバイ状態より消費電力の小さい省電力状態から復帰する。
【００１５】
超音波センサ１５は、非可聴域の４０ＫＨｚのパルス波を出力すると共に、物体で反射した当該パルス波の反射波を受信する。そして、超音波センサ１５は、パルス波を出力してから反射波を受信するまでの時間に基づいて、画像形成装置１００と前記物体との間の距離を計測する。なお、ここでは、超音波センサ１５を用いる例について説明したが、人を検知可能なセンサであれば、人から放射される赤外線を受光する赤外線受光センサであってもよい。また、超音波センサ１５の代わりに、センサと対象物体との間の静電容量に基づいてセンサと対象物体との間の距離を計測する静電容量センサを用いても良い。また、超音波センサ１５の代わりに、赤外線受光部がライン状またはマトリクス状に配置された赤外線アレイセンサを用いても良い。
【００１６】
また、超音波センサ１５は、扇形の検知エリアＡ１を有する。なお、この超音波センサ１５は、机の上に置かれたコンピュータなどの障害物の影響を受けずに人を検知するために、パルス波の出力方向が上方になるように配置しても良い。
【００１７】
図２は、画像形成装置１００のハードブロック図である。
【００１８】
図２を参照して、画像形成装置１００の全体の動作を制御するコントローラ１１の詳細について説明する。
【００１９】
図２に示すように、画像形成装置１００は、画像形成装置１００の動作を統括するコントローラ１１、操作部１２、スキャナ部１３、プリンタ部１４および超音波センサ１５を備えている。
【００２０】
コントローラ１１は、操作部１２、スキャナ部１３、およびプリンタ部１４と通信可能に接続されている。このコントローラ１１は、ＣＰＵ３０１、ＲＡＭ３０２、ＲＯＭ３０３、電源制御部３０４、入出力Ｉ／Ｆ３０５、およびＬＡＮコントローラ３０６を備えている。そして、ＣＰＵ３０１、ＲＡＭ３０２、ＲＯＭ３０３、電源制御部３０４、入出力Ｉ／Ｆ３０５、およびＬＡＮコントローラ３０６は、システムバス３０７に接続されている。また、コントローラ１１は、ＨＤＤ３０８、画像処理部３０９、スキャナＩ／Ｆ３１０およびプリンタＩ／Ｆ３１１を備えている。そして、ＨＤＤ３０８、画像処理部３０９、スキャナＩ／Ｆ３１０およびプリンタＩ／Ｆ３１１は、画像バス３１２に接続されている。
【００２１】
ＣＰＵ３０１は、ＲＯＭ３０３に記憶された制御プログラム等に基づいて接続中の各種デバイスとのアクセスを統括的に制御すると共に、コントローラ１１で実行される各種処理についても統括的に制御する。ＲＡＭ３０２は、ＣＰＵ３０１が動作するためのシステムワークメモリである。このＲＡＭ３０２は、画像データを一時記憶するためのメモリでもある。ＲＯＭ３０３には、装置のブートプログラムなどが格納されている。
【００２２】
電源制御部３０４は、画像形成装置１００の各部への電力供給を制御する。電源制御部３０４の詳細は後述する。入出力Ｉ／Ｆ３０５は、システムバス３０７と操作部１２と接続するためのインターフェース部である。この入出力Ｉ／Ｆ３０５は、操作部１２に表示するための画像データをシステムバス３０７から受け取り操作部１２に出力すると共に、操作部１２から入力された情報をシステムバス３０７へと出力する。ＬＡＮコントローラ３０６は、ネットワーク３０に接続される外部装置２０と情報の送受信を行う。
【００２３】
ＨＤＤ３０８は、ハードディスクドライブであり、システムソフトウェアや画像データを格納する。画像処理部３０９は、画像処理を行うためのものであり、ＲＡＭ３０２に記憶された画像データを読み出し、ＪＰＥＧ、ＪＢＩＧなどの拡大または縮小および、色調整などの画像処理を行う。スキャナＩ／Ｆ３１０は、スキャナ部１３のスキャナ制御部３３１と通信するためのインターフェース部である。プリンタＩ／Ｆ３１１は、プリンタ部１４のプリンタ制御部３４１と通信するためのインターフェース部である。画像バス３１２は、画像データをやり取りするための伝送路であり、ＰＣＩバスやＩＥＥＥ１３９４等のバスで構成されている。
【００２４】
スキャナ部１３は、原稿から光学的に画像を読み取り画像データを生成する。スキャナ制御部３３１とスキャナ駆動部３３２とを有している。スキャナ駆動部３３２は、原稿を読み取る読取ヘッドを移動させるための駆動部、原稿を読取位置まで搬送するための駆動部などを含む。スキャナ制御部３３１は、スキャナ駆動部３３２の動作を制御する。スキャナ制御部３３１は、スキャナ処理を行う際にユーザによって設定された設定情報をＣＰＵ３０１との通信により受信し、当該設定情報に基づいてスキャナ駆動部３３２の動作を制御する。
【００２５】
プリンタ部１４は、電子写真方式に従って記録媒体（用紙）に画像を形成する。このプリンタ部１４は、プリンタ制御部３４１とプリンタ駆動部３４２とを有している。プリンタ駆動部３４２は、図示しない感光ドラムを回転させるモータ、定着器を加圧するための機構部、ヒータなどを含む。プリンタ制御部３４１は、プリンタ駆動部３４２の動作を制御する。プリンタ制御部３４１は、プリント処理を行う際にユーザによって設定された設定情報をＣＰＵ３０１との通信により受信し、当該設定情報に基づいてプリンタ駆動部３４２の動作を制御する。
【００２６】
図３は、画像形成装置１００の電源ブロック図である。
【００２７】
図３を参照して、画像形成装置１００の電源構成について説明する。
【００２８】
画像形成装置１００は、第１電源供給部５０１、第２電源供給部５０２および第３電源供給部５０３を備える。第１電源供給部５０１は、プラグＰを介して供給される交流電源から約５．０Ｖの直流電源を生成する。そして、第１電源供給部５０１は、生成した直流電源をＬＡＮコントローラ３０６、ＲＡＭ３０２、超音波センサ１５、ＣＰＵ３０１、ＲＯＭ３０３、ＨＤＤ３０８、および、操作部１２の節電ボタン２０４やマイコン２０３やタッチパネル２０６に供給する。以下、第１電源供給部５０１から電源の供給を受けるデバイスを、第１電源系統デバイスと呼ぶ。また、第２電源供給部５０２は、プラグＰを介して供給される交流電源から約１２．０Ｖの直流電源を生成する。そして、第２電源供給部５０２は、生成した直流電源を表示部２０１、画像処理部３０９、プリンタ制御部３４１およびスキャナ制御部３３１に供給する。以下、第２電源供給部５０２から電源の供給を受けるデバイスを、第２電源系統デバイスと呼ぶ。また、第３電源供給部５０３は、プラグＰを介して供給される交流電源から約２４．０Ｖの直流電源を生成する。そして、第３電源供給部５０３は、生成した直流電源をプリンタ駆動部３４２およびスキャナ駆動部３３２に供給する。以下、第３電源供給部５０３から電源の供給を受けるデバイスを、第３電源系統デバイスと呼ぶ。
【００２９】
第１電源供給部５０１と第１電源系統デバイスとの間には、ユーザの操作に応じてオン状態またはオフ状態になるシーソースイッチ５１０が配置されている。また、シーソースイッチ５１０と並列に、第１電源供給部５０１によって生成された電力を第１電源系統デバイスに供給するためのリレースイッチ５１１が配置される。シーソースイッチ５１０がユーザの操作によってオフ状態になったとしても、リレースイッチ５１１を介して第１電源供給部５０１から第１電源系統デバイスに電力が供給される。シーソースイッチ５１０がオフ状態になったことは、信号Ａを介して電源制御部３０４に通知される。電源制御部３０４は、シーソースイッチ５１０がオフになった場合に、ＣＰＵ３０１に対してシャットダウン処理を実行するよう指示する。そして、ＣＰＵ３０１によってシャットダウン処理が実行されると、電源制御部３０４はリレースイッチ５１１をオフにする。これにより、画像形成装置１００がオフ状態になる。
【００３０】
また、プラグＰと第２電源供給部５０２との間には、プラグＰから第２電源供給部５０２への電力の供給と遮断とを切り替えるリレースイッチ５１２が配置される。また、プラグＰと第３電源供給部５０３との間には、プラグＰから第２電源供給部５０２への電力の供給と遮断とを切り替えるリレースイッチ５１３が配置される。
【００３１】
また、ＣＰＵ３０１、ＲＯＭ３０３、ＨＤＤ３０８、タッチパネル２０６および表示部２０１と第１電源供給部５０１との間には、スイッチ５１４が配置される。このスイッチ５１４は、ＣＰＵ３０１、ＲＯＭ３０３およびＨＤＤ３０８、タッチパネル２０６および表示部２０１への電力の供給と停止とを切り替える。また、スキャナ制御部３３１と第２電源供給部５０２との間には、スキャナ制御部３３１への電力の供給と停止とを切り替えるスイッチ５１５が配置される。また、プリンタ制御部３４１と第２電源供給部５０２との間には、プリンタ制御部３４１への電力の供給と停止とを切り替えるスイッチ５１６が配置される。
【００３２】
操作部１２の表示部２０１を点灯させて画面表示が見えるようにするバックライト２０７と第２電源供給部５０２との間には、バックライト２０７への電力の供給と停止とを切り替えるスイッチ５１７が配置される。
【００３３】
また、スキャナ駆動部３３２と第３電源供給部５０３との間には、スキャナ駆動部３３２への電力の供給と停止とを切り替えるスイッチ５１８が配置される。また、プリンタ駆動部３４２と第３電源供給部５０３との間には、プリンタ駆動部３４２への電力の供給と停止とを切り替えるスイッチ５１９が配置される。
【００３４】
次に、電力制御部３０４の詳細について説明する。
【００３５】
電源制御部３０４は、回路の書き変えが可能なプログラムの書き換えが可能なロジック回路である。本実施形態の電源制御部３０４は、ＣＰＬＤ（Ｃｏｍｐｌｅｘ  Ｐｒｏｇｒａｍｍａｂｌｅ  Ｌｏｇｉｃ  Ｄｅｖｉｃｅ）である。本実施形態では、電源制御部３０４をＣＰＬＤで構成する例について説明したが、電源制御部３０４は、ソフトウェアに従って処理を実行するＣＰＵなどのプロセッサであっても良い。
【００３６】
電源制御部３０４は、画像形成装置１００を省電力状態ＳＴ４から復帰させるための復帰要因を検知する。そして、電源制御部３０４は、検知した復帰要因に応じて、電力制御を行う。前記復帰要因は、以下の要因を含む。
・シーソースイッチ５１０がオフ状態からオン状態になったこと
・外部装置２０から特定のパケット（たとえば、印刷ジョブ）を受信したこと
・画像形成装置１００に人が接近したこと、ユーザによって節電ボタン２０４が押下されたこと
電源制御部３０４には、上記した復帰要因を示す信号Ａ、Ｐ、Ｑ、およびＲが入力される。信号Ａは、シーソースイッチ５１０の状態（オン状態／オフ状態）を示す。また、信号Ｐは、ＬＡＮコントローラ３０６が外部装置２０から特定のパケット（印刷ジョブなど）を受信したことを示す。また、信号Ｑは、超音波センサ１５が人等の物体を検知したことを示す。また、信号Ｒは、操作部１２の節電ボタン２０４がユーザによって押下されたことを示す。
【００３７】
また、電源制御部３０４は、信号Ｂ、Ｃ、Ｄ、Ｅ、Ｆ、Ｈ、Ｉを出力する（信号Ｂ、Ｃ、Ｄ、Ｅ、Ｆ、Ｈ、Ｉの論理を制御する）。信号Ｂは、リレースイッチ５１１をオン又はオフに切り替える。信号Ｃは、リレースイッチ５１２および５１３をオン又はオフに切り替える。信号Ｄは、スイッチ５１４をオン又はオフに切り替える。信号Ｅは、スイッチ５１５をオン又はオフに切り替える。信号Ｆは、スイッチ５１６をオン又はオフに切り替える。信号Ｈは、スイッチ５１８をオン又はオフに切り替える。信号Ｉは、スイッチ５１９をオン又はオフに切り替える。
【００３８】
シーソースイッチ５１０がユーザの操作によってオフ状態になると、信号Ａの論理がＬｏｗレベルに変化する。電源制御部３０４は、信号Ａの論理がＬｏｗレベルになると、ＣＰＵ３０１に、画像形成装置１００をシャットダウンするように指示する。ＣＰＵ３０１は、前記指示に従ってシャットダウン処理を実行する。また、電源制御３４０は、信号Ｂおよび信号Ｃを制御して、リレースイッチ５１１、５１２および５１３をオフ状態にする。これにより、シャットダウン処理後、適切に画像形成装置１００をオフ状態にすることができる。
【００３９】
ＬＡＮコントローラ３０６が外部装置２０から特定にパケット（印刷ジョブ）を受信すると、信号Ｐの論理がＨｉレベルに変化する。電源制御部３０４は、信号Ｐの論理がＨｉレベルになると、信号Ｃ、信号Ｄ、信号Ｆおよび信号Ｉを制御して、リレースイッチ５１２、５１３、５１４、５１６および５１９をオン状態にする。これにより、プリンタ部１４によって印刷ジョブに基づいた印刷が実行される。
【００４０】
超音波センサ１５が人などの物体を検知した場合、信号Ｑの論理がＨｉレベルに変化する。電源制御部３０４は、信号Ｑの論理がＨｉレベルになると、信号Ｃ、Ｄ、Ｅ、Ｆ、ＨおよびＩを制御して、スイッチ５１２−５１６、５１８および５１９をオン状態にする。
【００４１】
その際、マイコン２０３は、出力信号Ｇを論理がＬｏレベルで出力する。信号Ｇは、スイッチ５１７をオン又はオフに切り替えることができ、Ｌｏレベルではオフとなる。したがって、超音波センサ１５が検知した場合にはバックライト２０７に通電されない状態で省電力状態ＳＴ４から復帰を行う。
【００４２】
また、超音波センサ１５が人などの物体を検知した場合、電源制御部３０４は、信号ＹおよびＸの論理をＨｉレベルにする。
【００４３】
この信号Ｘは、スキャナ制御部３３１がスキャナ駆動部３３２の駆動を伴った起動を行うのか、スキャナ駆動部３３２の駆動を伴わずに起動を行うのかを切り替えるための信号である。スキャナ制御部３３１に電力が供給されたときに、信号Ｘの論理がＨｉレベルの場合には、スキャナ制御部３３１は、スキャナ駆動部３３２の駆動を停止させたまま、スキャナ部１３の起動を行う（以下、スキャナ部１３の静音起動と呼ぶ）。また、スキャナ制御部３３１に電力が供給されたときに、信号Ｘの論理がＬｏｗレベルの場合には、スキャナ制御部３３１は、スキャナ駆動部３３２を駆動させて、スキャナ部１３の起動を行う。
【００４４】
また、信号Ｙは、プリンタ制御部３４１がプリンタ駆動部３４２の駆動を伴った起動を行うのか、プリンタ駆動部３４２の駆動を伴わずに起動を行うのかを切り替えるための信号である。プリンタ制御部３４１に電力が供給されたときに、信号Ｘの論理がＨｉレベルの場合には、プリンタ制御部３４１は、プリンタ駆動部３４２の駆動を停止させたまま、プリンタ部１４の起動を行う（以下、プリンタ部１４の静音起動と呼ぶ）。また、プリンタ制御部３４１に電力が供給されたときに、信号Ｘの論理がＬｏｗレベルの場合には、プリンタ制御部３４１は、プリンタ駆動部３４２を駆動させて、プリンタ部１４の起動を行う。
【００４５】
節電ボタン２０４がユーザによって押下されると、信号Ｒの論理がＨｉレベルに変化する。電源制御部３０４は、信号Ｒの論理がＨｉレベルになると、信号Ｃ−Ｉを制御して、リレースイッチ５１２−５１９をオン状態にする。また、節電ボタン２０４が押下された場合、電源制御部３０４は、信号ＹおよびＸの論理をＨｉレベルにする。節電ボタン２０４が押下された場合、上記した超音波センサ１５が人を検知した場合と異なり、バックライト２０７が点灯する。
【００４６】
なお、上記したスイッチ５１１−５１９は、メカニカルなスイッチでなく、半導体スイッチ（例えば、ＦＥＴ）であっても良い。
【００４７】
図４は、画像形成装置１００の状態遷移図である。
【００４８】
次に、図４を参照して、画像形成装置１００の状態遷移について説明する。
【００４９】
画像形成装置１００は、スタンバイ状態ＳＴ１、表示部復帰状態ＳＴ２、静音復帰状態ＳＴ３、省電力状態ＳＴ４および電源オフ状態ＳＴ５となる。
【００５０】
スタンバイ状態ＳＴ１は、スキャナ部１３による読取動作や、プリンタ部１４による印刷動作を実行することが可能な状態である。
【００５１】
スタンバイ状態ＳＴ１で、操作部１２が所定時間操作されず、且つ、外部装置２０からジョブを受信しないなど、画像形成装置１００が所定時間使用されない場合には、画像形成装置１００はスタンバイ状態ＳＴ１から省電力状態ＳＴ４に移行する。省電力状態ＳＴ４は、スタンバイ状態ＳＴ１より消費電力の少ない状態である。この省電力状態ＳＴ４では、省電力状態ＳＴ４から復帰するために必要なデバイス（超音波センサ１５やＬＡＮコントローラ３０６など）のみに電力が供給されている。
【００５２】
省電力状態ＳＴ４で、超音波センサ１５が人を検知した場合には、画像形成装置１００は、静音復帰状態ＳＴ３に移行する。静音復帰状態ＳＴ３では、コントローラ１１のＣＰＵ３０１、画像処理部３０９、ＨＤＤ３０８、スキャナ部１３およびプリンタ部１４が起動する。なお、プリンタ部１４およびスキャナ部１３は、共に静音駆動を行う。そのため、画像形成装置１００は、静かに起動を行う。上記した起動によって、ＣＰＵ３０１や画像処理部（ＡＳＩＣ）３０８、スキャナ制御部３３１のＣＰＵおよびプリンタ制御部３４１のＣＰＵは、初期化を行う。また、省電力状態ＳＴ４で、外部装置２０からプリンタ部１４に印刷を実行させる印刷ジョブを受信した場合には、画像形成装置１００はスタンバイ状態ＳＴ１に移行する。
【００５３】
なお、省電力状態ＳＴ４でユーザによって節電ボタン２０４が押下される、あるいは、超音波センサ１５が近距離での検出を継続すると、後述する表示部復帰状態ＳＴ２に移行する。本実施形態では、節電ボタン２０４が押下される前に、超音波センサ１５によってユーザが検知される筈なので、省電力状態ＳＴ４では、節電ボタン２０４が押下されない筈である。
【００５４】
そして、静音復帰状態ＳＴ３で、節電ボタン２０４が押下される、あるいは、超音波センサ１５が近距離での検出を継続すると、バックライト２０７が点灯して表示部２０１が表示される表示部復帰状態ＳＴ２に移行する。これにより、ユーザは、表示部２０１に表示されるメインメニュー画面（選択画面）２０１ａ（図９（ｂ）参照）を介して、画像形成装置１００が有する機能を選択することができる。
【００５５】
この表示部復帰状態ＳＴ２で表示されるメインメニュー画面２０１ａを介して、画像形成装置１００が有する機能が選択された場合には、選択された機能を実行することが可能なスタンバイ状態ＳＴ１に移行する。例えば、メインメニュー画面２０１ａを介してプリント機能が選択された場合には、プリンタ駆動部３４２の駆動が開始される。具体的には、定着器の加圧、ヒータの加熱、ポリゴンの駆動、各種モータの回転などが開始される。また、メインメニュー画面２０１ａを介してスキャナ機能が選択された場合には、スキャナ駆動部３３２が駆動する。具体的には、読取部の読取位置の調整動作や各種モータの回転などが開始される。
【００５６】
また、シーソースイッチ５１０がユーザの操作によってオン状態からオフ状態にされた場合には、画像形成装置１００は電源オフ状態に移行する。
【００５７】
次に、図５〜図８を参照して、上記した各状態の詳細について説明する。
【００５８】
なお、図５−図８において、グレー部分には電力が供給されていないことを示す。
【００５９】
図５に示すように、スタンバイ状態ＳＴ１では、画像形成装置１００の各スイッチ５１０−５１９がオン状態となり、画像形成装置１００の各部に電力が供給される。
【００６０】
図６に示すように、省電力状態ＳＴ４では、第１電源系統のデバイスの一部にのみ電力が供給されている。省電力状態ＳＴ４では、第１電源供給部５０１によって生成された電力を供給するためのリレースイッチ５１１がオン状態になるが、他のスイッチ５１２−５１９はオフ状態になる。これにより、省電力状態ＳＴ４では、電源制御部３０４、ＲＡＭ３０２、ＬＡＮコントローラ３０６、超音波センサ１５、節電ボタン２０４、マイコン２０３に電力が供給されている。なお、マイコン２０３は、超音波センサ１５が人を検知したときに、電力を供給するようにしても良い。
【００６１】
図７に示すように、静音復帰状態ＳＴ３では省電力状態ＳＴ４で電力が供給されるデバイスに加えて、表示部２０１、タッチパネル２０６、ＣＰＵ３０１、ＨＤＤ３０８、ＲＯＭ３０３、画像処理部３０９、プリンタ部１４及びスキャナ部１３に電力が供給される。なお、プリンタ制御部３４１及びスキャナ制御部３３１は、それぞれプリンタ駆動部３４２およびスキャナ駆動部３３２の駆動を行わない。
【００６２】
図８に示すように、表示部復帰状態ＳＴ２では、静音復帰状態ＳＴ３で電力が供給されるデバイスに加えて、バックライト２０７に電力が供給される。これにより、表示部２０１が各種の情報を表示していることをユーザに認識させることが可能となる。
【００６３】
図９は、操作部１２の詳細を示す図である。
【００６４】
操作部１２は、図９に示すように、表示部２０１と、ボタン類２０２と、マイコン２０３（図３参照）と、を備える。
【００６５】
表示部２０１は、各種の画像を表示する。具体的には、マイコン（表示制御手段）２０３は、コピー機能、プリント機能、スキャン機能などを選択するためのメインメニュー画面（選択画面）２０１ａ（図９（ｂ）参照）を、表示部２０１に表示する。また、マイコン２０３は、メインメニュー画面２０１ａで選択された機能を実行するための設定画面２０１ｂ（図９（ｃ）参照）を、表示部２０１に表示する。マイコン２０３は表示部２０１に表示した画像をユーザに見えるようにするためにバックライト２０７を点灯させる。
【００６６】
図９（ａ）に示すように、電源オフ状態ＳＴ５、省電力状態ＳＴ４および静音復帰状態ＳＴ３では、表示部２０１に画像が表示されない非表示状態となっている。この非表示状態は、表示部２０１に表示するための画像を描写するが、バックライト２０７がオフされている状態であっても良いし、表示部２０１がオフであって表示部２０１に画像が描写されない状態であっても良い。これに対して、図９（ｂ）および（ｃ）のように、表示部に画面が表示される状態を表示状態と呼ぶ。
【００６７】
なお、図９（ｂ）に示すように、メインメニュー画面２０１ａは、コピー機能を実行するためのコピーアイコン２１１、プリント機能を実行するためのプリントアイコン２１２、および、スキャナ機能を実行するためのスキャンアイコン２１３を含む。また、メインメニュー画面２０１ａは、ＨＤＤ３０８に保存されるファイルを利用するための保存ファイル利用アイコン２１４、ＦＡＸ機能を実行するためのＦＡＸアイコン２１５を含む。また、メインメニュー画面２０１ａは、受信したメールを確認するための受信トレイアイコン２１６や各種の情報を表示するためのインフォメーションアイコン２１７を含む。
【００６８】
また、図９（ｃ）に示すように、設定画面２０１ｂは、選択されたジョブ（図９（ｃ）では、ＪＯＢ  Ｂが選択されている）の実行指示を行うためのスタートボタン２１８を含む。
【００６９】
ボタン類２０２は、コピーを開始したり、スキャンを開始したりするための実行指示を行うためのスタートキー２０８を有する。また、ボタン類２０２は、節電ボタン２０４を有する。この節電ボタン２０４は、画像形成装置１００がスタンバイ状態ＳＴ１のときにユーザによって押下されると、画像形成装置１００を省電力状態ＳＴ４に移行させる。また、節電ボタン２０４は、画像形成装置１００が省電力状態ＳＴ４のときにユーザによって押下されると、画像形成装置１００をスタンバイ状態ＳＴ１に移行させる。また、ボタン類２０２は、印刷部数などを入力するためのテンキー２０５を有する。
【００７０】
図１０は、画像形成装置１００と使用者との距離に応じた電力制御の遷移を示す図である。図１０では、上段に画像形成装置１００と使用者との距離の関係を示し、下段に上段で示した位置に使用者が存在する場合の画像形成装置１００の電力状態を示す。
【００７１】
超音波センサ１５の検知エリアＡ１の外側に使用者が存在するＴ１では、画像形成装置１００は、省電力状態ＳＴ４で待機する。この静音起動状態ＳＴ３では、超音波センサ１５などの限られたデバイスのみに電力が供給されている。具体的には、省電力状態ＳＴ４では、ＬＡＮコントローラ３０６、ＲＡＭ３０２、超音波センサ１５、マイコン２０３および節電ボタン２０４に電力が供給されている。
【００７２】
そして、使用者が超音波センサ１５の検知エリアＡ１に侵入したＴ２では、超音波センサ１５が当該使用者を検知する。これにより、コントローラ１１などに電力が供給される。具体的には、Ｔ２では、省電力状態ＳＴ４で電力が供給されるデバイスに加えて、表示部２０１、タッチパネル２０６、スキャナ部１３、プリンタ部１４、画像処理部３０９、ＨＤＤ３０８およびＣＰＵ３０１に電力が供給される。これにより、コントローラ１１、スキャナ部１３、およびプリンタ部１４の起動が開始される。ただし、スキャナ制御部３３１は、スキャナ駆動部３３２の駆動を開始せず、且つ、プリンタ制御部３４１は、プリンタ駆動部３４２の駆動を開始しない。これにより、プリンタ部１４およびスキャナ部１３の起動が開始したとしても、プリンタ駆動部３４２およびスキャナ駆動部３３２の駆動音がしない状態で、起動が開始する。
【００７３】
なお、本実施形態では、Ｔ２の時点では、使用者が画像形成装置１００を使用する意思が有るのか否かが不明なため、バックライト２０７に電力が供給されていない。ただし、Ｔ２では、画像形成装置１００を使用する意思がある人に対して、次に操作すべき箇所を案内するために、節電ボタン２０４が点灯もしくは点灯する。
【００７４】
そして、Ｔ３において、画像形成装置１００に接近したユーザが節電ボタン２０４を押下する、あるいはタッチパネル２０６などの操作を行うとバックライト２０７に電力が供給されて、表示部２０１に画面が表示される。使用者は画像形成装置１００を使用する意思をもって節電ボタン２０４やタッチパネル２０６を押下するので、本実施形態では、節電ボタン２０４やタッチパネル２０６が押下されたタイミングでバックライト２０７に電力を供給する。バックライト２０７が点灯すると、表示部２０１は、画像形成装置１００が有する機能（コピー、プリント、スキャン、ボックス、ＦＡＸなど）を選択するためのメインメニュー画面２０１ａを表示する。
【００７５】
Ｔ４において、使用者がメインメニュー画面２０１ａで機能を選択した場合には、当該機能を実行するために必要な箇所の電力が供給される。ここでは、メインメニュー画面２０１ａに表示されるプリントアイコン２１２が選択された場合について説明する。メインメニュー画面２０１ａでプリントアイコン２１２が選択されると、プリンタ制御部３４１は、プリンタ駆動部３４２の駆動を開始する。
【００７６】
図１１は、操作部１２のマイコン２０３が実行する各処理を示すフローチャートである。次に、図１１を参照して、画像形成装置１００が省電力状態ＳＴ４からスタンバイ状態ＳＴ１に復帰するまでの一連の動作について説明する。図１１のフローチャートの各処理は、操作部１２のマイコン２０３がプログラムを実行することによって実行される。
【００７７】
画像形成装置１００は、省電力状態ＳＴ４で待機する。
【００７８】
マイコン２０３は、超音波センサ１５の検知エリアＡ１に人が侵入したかどうかを判断する（Ｓ１０１）。具体的には、マイコン２０３は、超音波センサ１５が人を検知した場合に出力する信号を、前記超音波センサ１５から受信したならば、超音波センサ１５の検知エリアＡ１に人が侵入したと判断する（Ｓ１０１：Ｙｅｓ）。
【００７９】
超音波センサ１５の検知エリアＡ１に人が侵入したと判断した場合、マイコン２０３は、ＣＰＵ３０１、ＨＤＤ３０８、画像処理部３０９、プリンタ部１４およびスキャナ部１３に電力が供給されるように、電源制御部３０４に指示する（Ｓ１０２）。具体的には、信号ＱがＨｉレベルになる。前記指示を受信した電源制御部３０４は、表示部２０１、ＣＰＵ３０１、ＨＤＤ３０８、画像処理部３０９、プリンタ部１４およびスキャナ部１３に電力が供給されるように、信号Ｃ、Ｄ、Ｅ、Ｆ、Ｈ、Ｉの論理を制御する。電力が供給された表示部２０１、ＣＰＵ３０１、ＨＤＤ３０８、画像処理部３０９、プリンタ部１４およびスキャナ部１３は、起動を開始する。なお、この時点では、バックライト２０７へ電力が供給されていないため、表示部２０１に画面が表示されない。また、この時点では、プリンタ駆動部３４２やスキャナ駆動部３３２は駆動しないので、上記した起動には、プリンタ駆動部３４２やスキャナ駆動部３３２の駆動音は、伴わない。
【００８０】
その後、マイコン２０３は、節電ボタン２０４が押下されたか、あるいは、超音波センサが近距離に人を検出している状態を継続しているかどうかを判断する（Ｓ１０３ａ／ｂ）。これらの検出がないで所定時間が経過すると（Ｓ１０４：Ｙｅｓ）、マイコン２０３は、ＣＰＵ３０１、ＨＤＤ３０８、画像処理部３０９、プリンタ部１４及びスキャナ部１３への電力供給を停止するよう電源制御部３０４に指示する（Ｓ１０５）。前記指示を受信した電源制御部３０４は、ＣＰＵ３０１、ＨＤＤ３０８、画像処理部３０９、プリンタ部１４およびスキャナ部１３への電力供給が停止されるように、信号Ｃ、Ｄ、Ｅ、Ｆ、Ｈ、Ｉの論理を制御する。これにより、画像形成装置１００が省電力状態ＳＴ４に移行する。
【００８１】
一方、マイコン２０３が、前記所定時間が経過する前に節電ボタン２０４やタッチパネルがユーザによって押下された場合には（Ｓ１０３：Ｙｅｓ）、バックライト２０７をオンして表示部２０１にメインメニュー画面２０１ａを表示する（Ｓ１０６）。また、マイコン２０３が、超音波センサが近距離に人を検出している状態を継続していると判断した場合にも（Ｓ１０３：Ｙｅｓ）、バックライト２０７をオンして表示部２０１にメインメニュー画面２０１ａを表示する（Ｓ１０６）。具体的には、マイコン２０３が信号Ｇを論理Ｈｉで出力してリレースイッチ５１７をオンしてバックライト２０７への通電を行う。このメインメニュー画面２０１ａで、コピーアイコン２１１がユーザによって選択されると（Ｓ１０７：Ｙｅｓ）、コピー機能を実行するのに必要なプリンタ駆動部３４２およびスキャナ駆動部３３２の駆動の開始する（Ｓ１０８）。これにより、コピー機能が実行可能なスタンバイ状態ＳＴ１となる。
【００８２】
また、メインメニュー画面２０１ａで、プリントアイコン２１２がユーザによって選択されると（Ｓ１０９：Ｙｅｓ）、プリント機能を実行するのに必要なプリンタ駆動部３４２の駆動を開始する（Ｓ１１０）。これにより、プリント機能が実行可能なスタンバイ状態ＳＴ１となる。
【００８３】
また、メインメニュー画面２０１ａで、スキャンアイコン２１３がユーザによって選択されると（Ｓ１１１：Ｙｅｓ）、スキャン機能を実行するのに必要なスキャナ駆動部３３２の駆動を開始する（Ｓ１１２）。これにより、スキャナ機能が実行可能なスタンバイ状態ＳＴ１となる。
【００８４】
なお、ここでは、メインメニュー画面２０１ａのコピーアイコン２１１、プリントアイコン２１２およびスキャンアイコン２１３が選択される例について説明したが、他のアイコンが選択された場合も同様である。他のアイコンが選択された場合には、当該選択された他のアイコンに対応する機能を実行するために必要な機能部（例えば、ＦＡＸ部など）に電力が供給される。例えば、メインメニュー画面２０１ａでＦＡＸアイコン２１５が選択された場合には、ＦＡＸを送信するために必要なスキャナ部１３に電力が供給される。
【００８５】
上記したように、第１実施形態では、超音波センサ１５が人を検知したときに、画像形成装置１００の機能を実行するためのデバイスを起動する。つまり、第１実施形態では、使用者がどの機能を使用するか確定していない段階で、デバイスの起動を開始することができるので、使用者によって使用する機能が選択された段階で、既にデバイスの起動が完了している。よって、使用者は、デバイスの起動を待たずに選択した機能を実行することができる。
【００８６】
また、第１実施形態では、超音波センサ１５が人を検知した段階では、バックライト２０７への通電が行われないため表示部２０１が点灯しない。これにより、超音波センサ１５の検知範囲Ａ１内を人が通過しただけでは、表示部２０１が点灯しない。
【００８７】
また、第１実施形態では、超音波センサ１５が人を検知したときに、スキャナ駆動部３３２およびプリンタ駆動部３４２が駆動しないので、通行人が通過する度に、駆動音が鳴るのを防止することができる。
【００８８】
図１２は、画像形成装置１００の表示部２０１に使用者が手をかざす様子を示した図である。
【００８９】
図１２に示すように、操作部１２には、タッチパネル２０６の静電容量センサが内蔵されている。この静電容量センサは、操作部１２に接近する人の手と静電容量センサとの間の構成されるコンデンサの静電容量に応じて、人の接近を検知する。静電容量センサの検知エリアＡ２に人の手が侵入すると、バックライト２０７に通電がされて表示部２０１にメインメニュー画面２０１ａが表示される。
【００９０】
＜第２実施形態＞
図１３は、第２実施形態の操作部のハードブロック図である。マイコン２０３は、超音波センサ１５、タッチパネル２０６、バックライト２０７およびボタン類２０２に接続される。信号Ｑは超音波センサ１５からのマイコンへの出力信号であり、超音波センサの検出信号である。超音波センサ１５からのアナログ信号をアンプやコンパレータで所定の距離以内に検出があった場合に出力される信号でもよいし、アナログ信号をマイコン２０３へ直接入力してもよい。マイコン２０３は超音波センサ１５からの信号Ｑによって人が立っている距離を知ることができる。信号Ｊはスタートキー２０８やテンキー２０５が押下されたことをマイコン２０３が検出する信号であり、押下されると論理Ｌｏになる。信号Ｋはタッチパネルに検出があったこととタッチパネル２０６の２次元座標のどの位置に検出があったかをマイコン２０３が受信する信号である。マイコン２０３はタッチパネル２０６がタッチされるとタッチされた座標データをＣＰＵ３０１にシリアル通信線Ｍを介して通知する。ＣＰＵ３０１はタッチされた座標位置を判断してタッチに応じた次の画面データをデータ信号Ｌを介して表示部２０１へ送る。
【００９１】
図１４は、操作部のマイコンが実行するフローチャートである。画像形成装置１００が、省電力状態ＳＴ４から静音復帰状態ＳＴ３、表示部復帰状態ＳＴ２へ移行する際のマイコン２０３の動作を以下に示す。
【００９２】
マイコン２０３は複数の動作モード（パワーステート）を持ち、省電力状態ＳＴ４では超音波センサ２０７との接続信号Ｑのみを定期的にポーリングするだけのローパワーモードで動作する。信号Ｑは、超音波センサ２０７の出力する反射波の信号であっても良いし、反射波が戻るまでの時間があらかじめ回路で設定した閾値内である場合に出る割り込み信号でも良い。ここでは反射波の信号をＡ／Ｄ変換した信号であるとする。マイコン２０３は超音波センサ２０７からの信号Ｑを１００ｍｓおきにポーリングし、あらかじめ設定した距離内を示す時間幅であった際に、信号Ｇをオフした状態でマイコン２０３の動作モード（パワーステート）を通常動作へ戻す（Ｓ２０２）。その後、マイコン２０３はボタン２０２やタッチパネル２０６に操作があるかを定期的に確認し、操作があった場合（Ｓ２０３Ｙ）、反応があったボタンやパネル座標値を破棄する（Ｓ２０４）。破棄する理由はＣＰＵ３０１に通知してしまうとユーザがスリープ復帰させようとして触れたこと意図とは異なり、操作意思があって操作したボタンあるいはパネル座標ではないからである。その直後にマイコン２０３は信号Ｇをオンして、バックライトをオンする（Ｓ２０６）。
【００９３】
また、ボタン２０２やタッチパネル２０６への操作がなくても（Ｓ２０３Ｎ）、超音波センサ２０７に近距離の検知を約５００ｍｓの間で継続している場合にも、マイコン２０３が信号Ｇをオンして、バックライトをオンする（Ｓ２０６）。バックライトをオンした後にボタン２０２やタッチパネル２０６への操作がある場合は（Ｓ２０７Ｙ）、反応があったボタンやパネル座標値をＣＰＵ３０１に通知する。バックライトがオンした後にボタン２０２やタッチパネル２０６への操作がない場合には、ＣＰＵ３０１からシリアル通信線Ｍを介してローパワーモード移行指示を受ける。指示を受けた場合は（Ｓ２０９Ｙ）、信号Ｇをオフしてバックライトをオフして（Ｓ２１０）、動作モードをローパワーモードへ移行する（Ｓ２１１）。
【００９４】
この実施例では、バックライトがオフしている際に操作されたボタンやパネル座標値をマイコン２０３が破棄し、バックライトをオンさせる動作を行ったが、マイコン２０３がＣＰＵ３０１へ通知し、ＣＰＵ３０１が破棄する実施方法でも良い。
【００９５】
＜他の実施形態＞
第１実施形態では、超音波センサ１５を用いる例について説明したが、超音波センサ１５の代わりにカメラを用いても良い。また、カメラは、画像形成装置１００に設けられるカメラでなく、画像形成装置１００が設置される部屋に設けられるカメラ（例えば、監視カメラ）を用いてもよい。
【００９６】
また、第２実施形態では、静電容量センサ２５０を用いて表示部２０１にメインメニュー画面２０１ａを表示する例について説明したが、静電容量センサ２５０の代わりに、表示部２０１のタッチパネルセンサを用いても良い。
【００９７】
また、上記した実施形態では、画像形成装置に本発明を適用する例について説明したが、パーソナルコンピュータ（デスクトップ型、ラップトップ型）、ＰＤＡ、携帯電話、タブレット、スマートフォン、カメラなどの種々の本発明を適用することができる。
【００９８】
また、上記したフローチャートに示す処理を、１つのプロセッサが実行しても良いし、複数のプロセッサが協働して実行しても良い。
【００９９】
本実施形態におけるフローチャートに示す機能は、ネットワーク又は各種記憶媒体を介して取得したソフトウェア（プログラム）をコンピュータパソコン等の処理装置（ＣＰＵ、プロセッサ）にて実行することでも実現できる。
【符号の説明】
【０１００】
１３  スキャナ部
１４  プリンタ部
１５  超音波センサ
１００  画像形成装置
２０１  表示部
２０３  マイコン
３０１  ＣＰＵ
３０４  電源制御部
【図１】
2015195548.tif 000003
【図２】
2015195548.tif 000004
【図３】
2015195548.tif 000005
【図４】
2015195548.tif 000006
【図５】
2015195548.tif 000007
【図６】
2015195548.tif 000008
【図７】
2015195548.tif 000009
【図８】
2015195548.tif 000010
【図９】
2015195548.tif 000011
【図１０】
2015195548.tif 000012
【図１１】
2015195548.tif 000013
【図１２】
2015195548.tif 000014
【図１３】
2015195548.tif 000015
【図１４】
2015195548.tif 000016